(57)【特許請求の範囲】
【請求項１】
握り部に固着されるように構成された基部と、前記基部から延在する複数の成形されたピンと、を含むヘアブラシであって、
前記複数の成形されたピンのうちの少なくとも幾つかのそれぞれが、前記基部に固着された第１の端部及び反対側の自由端部を有するメインのシャフトであって、長手方向に沿った軸を画定するとともに、前記第１の端部から前記自由端部までで測られた長さを画定するメインシャフトと、
前記第１の端部と前記自由端部との間の一点において前記メインシャフトから延在する第１の枝であって、前記メインシャフトの前記長手方向に沿った軸に対して５°から９０°の角度で前記メインシャフトから径方向に延在し、前記ピンがもつれた又は絡み合った毛髪を梳いて分離することに適合されるように、前記シャフト上で配向され且つそのための寸法となされている第１の枝と、を有し、
前記複数の成形されたピンのうちの前記少なくとも幾つかが、ショアＤ硬度で約３５ＭＰａから約１１８０ＭＰａの硬度を有する材料で作られ、約０．５ｍｍから約５ｍｍの平均断面直径を有し、前記第１の枝は、前記複数のピンのうち前記少なくとも幾つかの残りの隣接するピンの第１の枝に対して、方向的にランダムに配向されていることを特徴とするヘアブラシ。
【請求項２】
前記第１の端部と前記シャフト上の前記第１の枝の高さを含む位置との間の一点において前記メインシャフトから延在する第２の枝であって、前記長手方向に沿った軸に対して５°から９０°の角度で前記メインシャフトから径方向に延在し、前記ピンがもつれた又は絡み合った毛髪を梳いて分離することに適合されるように、前記シャフト上で配向され且つそのための寸法となされている第２の枝をさらに含み、
前記第１の枝は、前記複数のピンのうち少なくとも幾つかの残りの隣接するピンの第１の枝または第２の枝に対して、方向的にランダムに配向されている、請求項１に記載のヘアブラシ。
【請求項３】
前記第１の枝が、前記メインシャフトから第１の径方向に延在し、前記第２の枝が、前記メインシャフトから第２の径方向に延在する、請求項２に記載のヘアブラシ。
【請求項４】
前記第２の径方向が、前記第１の径方向の反対である、請求項３に記載のヘアブラシ。
【請求項５】
前記第１の枝の前記角度が、前記第２の枝の前記角度と同一である、請求項２に記載のヘアブラシ。
【請求項６】
前記第１の枝が、前記シャフトの前記長さの少なくとも５％の長さを有する、請求項１に記載のヘアブラシ。
【請求項７】
前記第１の枝又は前記第２の枝のうちの少なくとも一方が、前記シャフトの前記長さの少なくとも５％の長さを有する、請求項２に記載のヘアブラシ。
【請求項８】
前記複数の成形されたピンのうちの前記少なくとも幾つかが、シリコーンエラストマー、熱可塑性エラストマー、ビニルエラストマー、熱可塑性ポリエステルエラストマー、熱可塑性ポリウレタンエラストマー、ニトリル、及びＥＰＤＭのうちの一つから選択された材料で作られている、請求項１に記載のヘアブラシ。
【請求項９】
前記複数の成形されたピンのうちの前記少なくとも幾つかが、ショアＤ硬度で約９５ＭＰａから約５７０ＭＰａの硬度を有する材料で作られている、請求項１に記載のヘアブラシ。
【請求項１０】
前記複数の成形されたピンのうちの前記少なくとも幾つかが、ショアＤ硬度で約２００ＭＰａから約２８０ＭＰａの硬度を有する材料で作られている、請求項１に記載のヘアブラシ。
【請求項１１】
前記複数の成形されたピンのうちの前記少なくとも幾つかが、約１ｍｍから約３０ｍｍに及ぶ平均高さを有する、請求項１に記載のヘアブラシ。
【請求項１２】
前記複数の成形されたピンのうちの前記少なくとも幾つかが、約５ｍｍから約２５ｍｍの平均高さを有する、請求項１に記載のヘアブラシ。
【請求項１３】
前記複数の成形されたピンのうちの前記少なくとも幾つかが、約１０ｍｍから約１８ｍｍの平均高さを有する、請求項１に記載のヘアブラシ。
【請求項１４】
前記複数の成形されたピンのうちの前記少なくとも幾つかが、約１ｍｍから約３ｍｍの平均断面直径を有する、請求項１に記載のヘアブラシ。
【請求項１５】
前記複数の成形されたピンのうちの前記少なくとも幾つかが、約１．５ｍｍから約２ｍｍの平均断面直径を有する、請求項１に記載のヘアブラシ。
【発明の詳細な説明】
【技術分野】
【０００１】
本発明は、成形されたヘアブラシピン、及び、毛髪を梳き且つブラシ掛けするためにそのようなピンを使用して作られたヘアブラシに関する。
【背景技術】
【０００２】
成形されたピン、ブリスル、又は歯を含むヘアブラシが知られている。成形されたピンを含むヘアブラシ（対照的なものとしては、例えば、中実の基部、バックボーン、ロッド、又はコアの穴内にステープルによって固着された押出し成形の繊維ブリストルの束又は房を含むブラシがある）は一般に、コアと一体に成形されたピンか、コアにオーバーモールド成形されたピンか、又はコアに組み付けられたピンの、幾つかの列を含む。各列は通常、複数のピンを有する。一般に、ピンのそれぞれの輪郭、形状、又は設計は、ブラシヘッド全体にわたって同一である。また、各ピンは一般に、円形又は半円形の断面を有する。
【発明の概要】
【発明が解決しようとする課題】
【０００３】
周知の成形されたピン式ヘアブラシは、もつれた又は絡み合った毛髪を梳いて分離する能力が限られている。
【０００４】
したがって、毛髪を梳いて分離する能力が向上された成形されたピン式ヘアブラシが必要とされている。
【課題を解決するための手段】
【０００５】
ヘアブラシが複数の成形されたピンを有し、各成形されたピンは、メインシャフト（主軸）と、このシャフトから延在する第１及び第２の枝とを有する。第１の枝は、シャフトの基部とシャフトの自由端部との間の一点において延在する。第２の枝は、シャフトの基部と第１の枝の高さを含む位置との間の一点においてシャフトから延在する。第１及び第２の枝は、自由端部に対して、またシャフトの長手方向に沿った軸に対して、５°から９０°の角度でシャフトから径方向に延在する。第１及び／又は第２の枝は、もつれて絡み合った毛髪を梳いて分離することにピンを適合させるように、シャフト上で配向され且つそのための寸法となされる。
【０００６】
本発明はまた、ヘアブラシの基部に固着されるように構成されたピンに関する。ピンは、ヘアブラシの基部に固着されるように構成された第１の端部と、反対側の自由端部とを含む、メインシャフトを有する。メインシャフトは、長手方向に沿った軸を画定し、且つ、第１の端部から自由端部までで測られた長さを有する。少なくとも一つの第１の枝が、第１の端部と自由端部との間の一点においてメインシャフトから延在する。第１の枝は、シャフトの自由端部に対して、またシャフトの長手方向に沿った軸に対して、５°から９０°の角度でメインシャフトから径方向に延在する。第２の枝が、第１の端部とシャフト上の第１の枝の高さを含む位置との間の一点においてメインシャフトから延在しうる。第２の枝は、自由端部に対して、またシャフトの長手方向に沿った軸に対して、５°から９０°の角度でシャフトから径方向に延在しうる。第１の枝は、もつれて絡み合った毛髪を梳いて分離することにピンを適合させるように、シャフト上で配向され且つそのための寸法となされる。第２の枝も同様に、もつれて絡み合った毛髪を梳いて分離するように適合された配向及び寸法で、シャフトに取り付けられうる。
【図面の簡単な説明】
【０００７】
【図１】本発明の成形されたピンを含むブラシヘッドを組み込んだヘアブラシの斜視図である。
【図２】図１に示されたヘアブラシの成形されたピンが部分的に組み付けられた、ブラシヘッドの側面図である。
【図３Ａ】図１に示されたヘアブラシの成形されたピンの第１の実施形態の正面図である。
【図３Ｂ】図１に示されたヘアブラシの成形されたピンの第２の実施形態の正面図である。
【図３Ｃ】図１に示されたヘアブラシの成形されたピンの第３の実施形態の正面図である。
【図４】本発明のヘアブラシのブラシヘッドへの成形されたピンの組付けを示す正面図である。
【図５】図４に示されたヘアブラシのブラシヘッドへの埋植後の成形されたピンを示す正面図である。
【図６】各ピンの枝の互いに対する配向を示す、本発明のブラシヘッドの上面平面図である。
【図７】本発明のヘアブラシのブラシヘッドへの成形されたピンの組付けを示す横断立面図である。
【図８】図７に示されたヘアブラシのブラシヘッドへの埋植後の成形されたピンを示す横断立面図である。
【発明を実施するための形態】
【０００８】
ここで図１を参照すると、本発明の成形されたピン６を含むブラシヘッド４を組み込んだヘアブラシ２が示されている。ヘアブラシは、使用者によって握られるように構成された握り部８（破線で示す）を含む。握り部８は、基部１０に接続され、基部１０は、基部１０から延在する少なくとも一つの成形されたピン６をまた好ましくは複数の成形されたピン６を支持するように構成される。
【０００９】
明瞭性のために、「ピン」は一般に、器具から延在する突起物であると理解される。「ブリスル（Ｂｒｉｓｔｌｅｓ）」は一般に、硬い毛のような構造物であると理解される。「歯（ｔｅｅｔｈ）」は一般に、くし、歯車、又は鋸におけるように、それぞれが形状又は機能において一本の歯（ｔｏｏｔｈ）に似た突き出た部分であると理解される。本明細書において、単数形又は複数形での「ピン」、「ブリスル」、若しくは「歯」という用語は、支持のバックボーン、ロッド、コア、又は基部から延在する、任意の細く硬い突起物、突出部、突き出た部分若しくは構造物を示すために区別なく使用される。成形されたピン、ブリスル、及び歯は、もつれて絡み合った毛髪を梳いて分離することにピンを適合させるように配向され且つそのための寸法となされた、少なくとも一つの第１の枝を有する。
【００１０】
図１〜図８に示されるように、各ピン６は、基端部即ち第１の端部１４を含むメインシャフト１２を有する。第１の端部１４は、例えば一体成形、オーバーモールド成形、二重射出成形（ｂｉ−ｉｎｊｅｃｔｉｏｎ  ｍｏｌｄｉｎｇ）、接着（ａｄｈｅｒｉｎｇ）、溶着、加締め、摩擦嵌め、又は他のよく知られた手段若しくは方法によりブラシヘッド４の基部１０に固着されるように構成される。図では、シャフト１２の第１の端部１４は、差込み部２４を介して基部１０に加締められている。差込み部２４は、小径部分３０によって結合された拡張カラー２６及びフレア状先端部２８で構成される。図４〜図５、及び図７〜図８に示されるように、基部１０は、ピン６を受容するための複数の穴３２を含む表面３４を有する。ピンの差込み部２４は、フレア状先端部２８を穴３２のうちの一つに強引に押し通すことにより、基部１０に固着される。各穴３２は、差込み部２４の小径部分３０を締まり嵌めの形で受容する寸法となされている。カラー２６の側面と底面との交差部によって形成された肩３６が、基部の表面３４に当接する。
【００１１】
シャフト１２は、反対側の自由端部１６を有する。シャフト１２は、長手方向に沿った軸１８を画定し、また、シャフト１２は、第１の端部１４においてシャフト１２が表面３４から現れる位置であるシャフト１２上の点から自由端部１６までで測られた、長さＬＬを有する。第１の枝２０が、第１の端部１４と自由端部１６との間の一点においてシャフト１２から延在する。第１の枝２０は、自由端部１６に対して、またシャフト１２の長手方向に沿った軸１８に対して、５°から９０°の角度ＡＡでシャフト１２から径方向に延在する。第１の枝２０は、ピンを、したがってピンを含むブラシを、もつれて絡み合った毛髪を梳いて分離することに適合させるように、シャフト上で配向され且つそのための寸法となされる。このブラシピンの改良された作用は、ブラシ掛けされるか又は梳かれる毛髪のうちの少なくともある程度の部分が表面３４の上方で枝２０によって捕らえられ、したがって枝２０に捕らえられた部分が、ブラシ掛けされるか又は梳かれる毛髪のうちの表面３４に近接して通過又は接触する部分から持ち上げられて分離されるためであると考えられる。実際に、枝２０を含むピンは、もつれて絡み合った毛髪にブラシが掛けられたときに、毛髪をより細かくより扱いやすい部分に分割する。
【００１２】
ピン６のうちの少なくとも幾つかは、第１の端部１４とシャフト１２が表面３４から現れる位置であるシャフト１２上の点から測られたシャフト１２上の第１の枝２０の高さＹを含む位置との間の一点においてシャフト１２から延在する、第２の枝２２を有することができる。第２の枝２２は、自由端部１６に対して、また長手方向に沿った軸１８に対して、５°から９０°の角度ＢＢでシャフト１２から径方向に延在する。第２の枝２２はさらに、第１の枝２０と同様の方法で、ピンを、したがってブラシヘッド４を、もつれて絡み合った毛髪をより良く梳いて分離するように適合させる。
【００１３】
図１に示されるように、ピン６のそれぞれは、サイズ、枝の構成、及び枝の配向を同一にすることができ（ただし図１では、枝の配向は不揃い（ｒａｎｄｏｍ）に示されている）、又は、分岐したピンは、分岐していないピンと混合することができる。各枝２０、２２は、真っ直ぐ（図示のように）であっても曲がっていてもよい（図示せず）。各ピン６及びそれぞれの枝２０、２２は、ブラシヘッドの使用目的に適した任意の断面を備えることができる。シャフト１２に沿った枝２０、２２の分布は、第１の端部１４に対して同一の高さにおけるものであっても、シャフト１２に沿って様々な高さに配置されたものであってもよい。ブラシヘッド４上の隣接するピン６は、同一の高さに配置された枝２０、２２を有していてもよく、又は、ブラシヘッド４上の隣接するピン６は、様々な高さに配置された枝２０、２２を有していてもよい。隣接するピン６は、形状、構成、及び寸法が同一であっても、形状、構成、及び寸法のうちの少なくとも一つが異なっていてもよい。同様に、同一のピン６又は隣接するピン６上の各枝２０、２２は、形状、構成、及び寸法が同一であっても、形状、構成、及び寸法のうちの少なくとも一つが異なっていてもよい。各ブラシヘッド４は、全て同一のピン６を有していても、異なるピン６及び／若しくは混合された異なる枝２０、２２を有していてもよい。分岐したピンの列は、枝を持たないピンの列と交互になっていてもよい。或いは、各列内において、枝２０、２２を含むピンが、枝を持たないピンと交互になっていてもよい。可能な変形形態及び組み合わせは、無限である。
【００１４】
一つのピン６の少なくとも第１の枝２０又は第２の枝２２を、隣接する一つのピン又は複数のピン６の第１の枝２０若しくは第２の枝２２に対して不揃いに配向することにより、ブラシヘッド４をもつれて絡み合った毛髪を梳いて分離することにさらに適合させることができる。複数のピン６のそれぞれのピン６上の第１の枝２０は、残りの複数のピン６のうちの隣接するピン６上の第１の枝２０又は第２の枝２２に対して不揃いに配向されることが好ましい。不揃いな配向は、例えば、ブラシヘッド４の表面３４を俯瞰した図６の上面平面図に最もよく示されており、ここでは、ピン６が、第１の方向に配向された第１の枝２０を有し、ピン６’及びピン６”が、それぞれ、第１の方向に対して第２及び第３の方向に配向された第１の枝２０’及び２０”を有する。同様に、ピン６の第２の枝２２もまた、残りのピン６のうちの隣接するピン６の第１の枝２０又は第２の枝２２に対して不揃いに配向されうる。このピンの枝の不揃いな配向によって、もつれて絡み合った毛髪にブラシが掛けられたときに毛髪がより細かい部分にさらに分けられることにより、もつれて絡み合った毛髪を梳いて分離することをさらに容易にすることができると考えられる。
【００１５】
本明細書において説明される実施形態は、複数のピンの各ピン６が少なくとも一つの第１の枝２０を有する状態で示されているが、二つ以上の枝（例えば、第１の枝２０及び第２の枝２２）を有する幾つかのピン及び／又は枝を全く有さない幾つかのピンをブラシヘッドが含みうることが理解されるであろう。本発明者らの意図は、ブラシのピン６のうちの少なくとも幾つかが第１の枝２０を、又は第１の枝２０及び第２の枝２２を含みさえすれば、本発明がブラシに具現化されるということである。例えば、ピンの各列は、本発明の分岐したピンだけを含むか、或いは、本発明の分岐したピンと従来のピン（例えば、分岐していないピン）とを混ぜ合わせて含むことができる。
【００１６】
第１の枝２０及び第２の枝２２は、シャフト１２から同じ方向に延在することができる。或いは、第１の枝２０は、シャフト１２から第１の径方向に延在していてもよく、第２の枝２２は、シャフト１２から第２の径方向に延在していてもよい。第２の径方向は、例えば、図に示されるように、第１の径方向の反対とすることができる。
【００１７】
長手方向に沿った軸１８に対する第１の枝２０の角度は、第２の枝２２の角度と同一であってもよく、又は、第１の枝２０及び第２の枝２２の角度は、異なる角度であってもよい。角度ＡＡ、ＢＢは、自由端部１６に対して、またシャフト１２の長手方向に沿った軸１８に対して、５°から９０°である。第１の枝２０又は第２の枝２２の少なくとも一方は、軸１８の長さＬＬの少なくとも５％の長さを有する。隣接する各ピン６は、均等に離間されていてもよく、又は、各ピンは、互いにオフセットされるか若しくは不揃いに（ｒａｎｄｏｍｌｙ）離間されていてもよい。
【００１８】
本発明を具現化するものとして、複数のピン６を含みそのうちの少なくとも幾つかが少なくとも一つの第１の枝２０を有するブラシヘッド４について上述したが、本発明はまた、例えば図３Ａ〜図３Ｃに示されるように、個々のピン６において具現化される。各ピン６は、長手方向に沿った軸１８を画定するメインシャフト１２を有する。シャフト１２の第１の端部１４が、ブラシヘッド４の基部１０に固着されるように構成される。シャフト１２は、反対側の自由端部１６を有する。シャフト１２の長さＬＬが、第１の端部１４においてシャフト１２が表面３４から現れる位置であるシャフト１２上の一点から自由端部１６までで測られる。第１の枝２０が、高さＹにおいて、即ち、シャフト１２が表面３４から現れる位置と自由端部１６との間のシャフト１２上の一点において、シャフト１２から延在する。第２の枝２２が、高さＺにおいて、即ち、シャフト１２が表面３４から現れる位置であるシャフト１２上の一点とシャフト１２上の第１の枝２０の高さＹを含む位置との間において、シャフト１２から延在する。第１の枝２０及び第２の枝２２は、それぞれ、自由端部１６及びシャフト１２の長手方向に沿った軸１８に対して、５°から９０°の角度ＡＡ、ＢＢでシャフト１２から径方向に延在する。第１の枝２０及び／又は第２の枝２２は、ピンを、したがってピンを含むブラシを、もつれて絡み合った毛髪を梳いて分離することに適合させるように、シャフト上で配向され且つそのための寸法となされる。このピンの改良された作用は、ブラシ掛けされるか又は梳かれる毛髪のうちの少なくともある程度の部分が表面３４の上方で枝２０又は２２によって捕らえられ、したがって枝に捕らえられた部分が、ブラシ掛けされるか又は梳かれる毛髪のうちのブラシヘッドの表面３４に近接して通過又は接触する部分から持ち上げられて分離されるためであると考えられる。実際に、少なくとも一つの枝２０を含むピンは、毛髪を、処理のためのより細かな部分に分割する。ピンは、もつれた又は絡み合った毛髪を梳いて分離する能力をさらに助長するために、第１の枝が隣接するピンの第１の枝に対して不揃いに配向されるように、ブラシヘッドに組み付けることができる。
【００１９】
複数のピンにおいてであれ、個々のピンの場合であれ、第１の枝２０は、シャフト１２から第１の径方向に延在することができ、また、第２の枝２２は、シャフト１２から同じ径方向（図３Ｃ参照）か又は異なる第２の径方向（図３Ｂ）に延在することができる。第２の径方向は、第１の径方向の反対とすることができる。第１の枝２０の角度ＡＡは、第２の枝２２の角度ＢＢと同一であってもよく、又は、第１の枝２０の角度と第２の枝２２の角度は、異なっていてもよい。第１の枝２０又は第２の枝２２のうちの少なくとも一方が、シャフト１２の長さＬＬの少なくとも５％の長さを有することが好ましい。
【００２０】
ブラシヘッドピン６及びブラシヘッド４は、射出成形（又は任意の他の適切な成形手段）により、任意の適切な塑性材料から作ることができる。好ましい材料は、例えば、シリコーンエラストマー、熱可塑性エラストマー（例えば、スチレン−エチレン−ブチレン−スチレンブロック共重合体、ＳＥＢＳ）、ビニルエラストマー（ＥＶＡ）、熱可塑性ポリエステルエラストマー（例えば、デュポンが提供しているＨｙｔｒｅｌ（登録商標））、熱可塑性ポリウレタンエラストマー（ダウプラスチック（Ｄｏｗ  Ｐｌａｓｔｉｃが提供しているｐｅｌｅｔｈａｎｅ（登録商標））、ニトリル、又はＥＰＤＭを含む、ポリマーなどである。材料の硬度は、好ましくは、約３５ＭＰａ（デュポンが提供している３５ショアＤのＨｙｔｒｅｌ（登録商標））から、約１１８０ＭＰａ（デュポンが提供している８２ショアＤのＨｙｔｒｅｌ（登録商標））までである。より好ましくは、引張係数は、約９５ＭＰａ（デュポンが提供している４５ショアＤのＨｙｔｒｅｌ（登録商標））から約５７０ＭＰａ（デュポンが提供している７２ショアＤのＨｙｔｒｅｌ（登録商標））に及ぶ。最も好ましくは、引張係数は、約２００ＭＰａ（デュポンが提供している５５ショアＤのＨｙｔｒｅｌ（登録商標））から約２８０ＭＰａ（デュポンが提供している６３ショアＤのＨｙｔｒｅｌ（登録商標））に及ぶ。
【００２１】
ピン６は、意図された目的及び機能、例えばもつれた若しくは絡み合った毛髪の整理及び／又は分離に適した、任意のサイズ、形状、及び間隔を有することができる。好ましくは、しかし必ずではないが、ピン６は、約１ｍｍから約３０ｍｍに及ぶ平均高さＬＬを有する。より好ましくは、ピン６は、約５ｍｍから約２５ｍｍの平均高さを有し、最も好ましくは、約１０ｍｍから約１８ｍｍの平均高さを有する。ピン６の平均断面直径は、好ましくは約０．５ｍｍから約５ｍｍに及ぶ。より好ましくは、ピンの断面直径は、約１ｍｍから約３ｍｍに及び、最も好ましくは、約１．５ｍｍから約２ｍｍに及ぶ。
【００２２】
本発明のブラシヘッド及びピンは、いかなる毛髪の梳き、ブラシ掛け、又は整髪にも使用することができる。
【００２３】
本発明は、好ましい構造の形態で具現化されたものとして説明され且つ図示されたが、以下の特許請求の範囲に記載された本発明の精神及び範囲から逸脱することなしに、構造及び構成において様々な修正がなされうることが理解されるであろう。
【図１】
0005934361.tif 000002
【図２】
0005934361.tif 000003
【図３Ａ】
0005934361.tif 000004
【図３Ｂ】
0005934361.tif 000005
【図３Ｃ】
0005934361.tif 000006
【図４】
0005934361.tif 000007
【図５】
0005934361.tif 000008
【図６】
0005934361.tif 000009
【図７】
0005934361.tif 000010
【図８】
0005934361.tif 000011